(57)【要約】      （修正有）【課題】皮膚への摩擦負荷を軽減するためのらせん回転形状の鍼灸施術用の鍼体および利用方法を提供する。【解決手段】少なくとも鍼灸施術用の鍼体１の芯である丸棒の外側面形状は、人間の右利き及び左利きの利き手の個人差を勘案し、皮膚に差し込む方向に向かって左回りのらせん回転形状、又は右回りの回転形状とし、鍼体の先端部から鍼柄２まで、若しくは鍼体の先端部から鍼柄手前まで任意の長さで皮膚に差し込む鍼体の丸芯棒の外側が、らせん回転の山並みを設けたことで鍼灸施術において右回りのらせん回転で皮膚に差し込む際に、皮膚と鍼体との間の摩擦面の表面積が少なくなることで、痛みが軽くなり、心地よい痛み負荷となることで、施術患部への改善効果を高めることが期待できるようにしたのである。【選択図】図２
2016144615.tif 000002
【特許請求の範囲】
【請求項１】
少なくとも鍼灸施術用の鍼体の芯線の丸棒の外側面形状は、皮膚に差し込む方向に向かって左回りのらせん回転形状であり、鍼体の先端部から鍼柄まで、若しくは鍼体の先端部から鍼柄手前まで任意の長さで左回りのらせん回転形状とし、鍼体の皮膚に差し込まれる際の針が皮膚に接する面をすくなくして皮膚への痛み、摩擦負荷を軽減するために、皮膚に差し込む側からは鍼体の外壁の外形が左り回りの溝、若しくは山なみの左回りのらせん回転を設け、鍼体に温熱を加えるようにしたらせん回転形状とすることを特徴とするらせん回転形状の鍼灸施術用の鍼体および利用方法。
【請求項２】
少なくとも鍼灸施術用の鍼体の芯線の丸棒の外側面形状は、皮膚に差し込む方向に向かって左回りのらせん回転形状であり、使用済み後における再度使用という誤使用を防ぐために、使い捨て（ディスポーザブル）針とし、ストッパー部に半回転するツメの突起を設け、突起のツメを上に上げることで鍼体を鍼管に収納とし、鍼体の動きを抑えストッパーがかけられるようにし、鍼管先端円筒内に色加工された低反発ウレタン、又はゴムおよびプラスチック素材のキャップを詰込み使用済みの鍼体であることを目視確認できるようにし、使用済み後の鍼体処理で人が損傷しないように安全処理できるようにしたことを特徴とするらせん回転形状の鍼灸施術用の鍼体および利用方法。
【請求項３】
少なくとも鍼灸施術用の鍼体の芯である丸棒の外側面形状は、人間の右利きおよび左利きの利き手の個人差を勘案し、皮膚に差し込む方向に向かって左回りのらせん回転形状、又は右回りの回転形状とし、鍼体の長さおよび太さは限定せず、鍼体の先端部から鍼柄まで、若しくは鍼体の先端部から鍼柄手前まで任意の長さで皮膚に差し込む鍼体の丸芯棒の外側が、らせん回転の山並みを設けたことを特徴とするらせん回転形状の鍼灸施術用の鍼体および利用方法。
【請求項４】
少なくとも鍼灸施術用の鍼体は、鍼体を刺し込む際の指先の微細な感触を和らげるために鍼柄の頭を緩やかなアール形状にし、鍼管を用いずとも鍼柄を二指（親指と人差し指）でつまんで使用する場合、又は三指（親指と中指、又は親指と薬指で鍼柄をつまみ人差し指）で使用することができるようにし、鍼柄のアール形状、又は球体など形状を限定せず鍼体の頭を微細な感触操作ができるようにするなど任意の取扱いができるようにしたことを特徴とする請求項１、２、３に記載のらせん回転形状の鍼灸施術用の鍼体および利用方法。
【請求項５】
少なくとも鍼灸施術用の鍼体の芯線の丸棒の外側面形状は、皮膚に差し込む方向に向かって左回りのらせん回転形状、又は右回りのらせん回転形状であり、皮膚に差し込む鍼の外側が山並みを設けた左回りのらせん回転形状、又は右回りのらせん回転形状とし、成型は圧縮成型、又は鍼体の直線芯線を左回りのらせん回転形状、又は右回りのらせん回転形状を施しながらの芯線製造とし、鍼体の芯線の丸棒加工はこれに限定されないようにし、鍼体の先端部の突起をらせん回転の山並みに添って曲線加工および表面を鏡面研磨を施すことを特徴とする請求項１、２、３、４に記載のらせん回転形状の鍼灸施術用の鍼体および利用方法。
【請求項６】
らせん回転形状の鍼体は、鍼灸鍼、美容鍼、鍼麻酔鍼、中国医学に使用する鍼、はり師およびきゅう師、あん摩マッサージ師が使用する各種鍼体に活用、又は動物への活用も可能とすることを特徴とする請求項１、２、３、４、５に記載のらせん回転形状の鍼灸施術用の鍼体および利用方法。
【請求項７】
らせん回転形状の鍼体は、鍼体の長さ及び鍼体の芯線の丸棒太さに関係なく応用され、鍼体の先端部から鍼柄まで、若しくは鍼体の先端部から鍼柄手前まで任意の長さで左回りのらせん回転形状、又は右回りのらせん回転形状とし、鍼先の先端部の突起をらせん回転の山並みに添って曲線加工することを特徴とする請求項１、２、３、４、５、６に記載のらせん回転形状の鍼灸施術用の鍼体および利用方法。
【請求項８】
らせん回転形状の鍼体の金属の素材は、金を含んだ鍼体、銀を含んだ素材の鍼体、銅を含んだ素材の鍼体、鉄にクロムやニッケルなど混合素材のステンレス鍼体、アルミ製素材の鍼体など強度、安全性が保たれる素材であれば、これらの金属素材に限定しない、鍼体を収納する鍼管は、ステンレス、又は硬質プラスチチックの使い捨て（ディスポーザブル）鍼管で円筒形、六角形、八角形、穴あきで（形状は限定せず）鍼管としすることを特徴とする請求項１、２、３、４、５、６、７に記載のらせん回転形状の鍼灸施術用の鍼体および利用方法。
【請求項９】
らせん回転形状の鍼体を施術者は患者に使用する際に、鍼体の金属そのものの常温度で使用するだけでなく、お湯熱、又は温風熱、電気伝導熱を鍼体に３５℃乃至る４０℃の範囲内で、人間の身体に過剰な体力消耗の負荷を与えないように配慮した温熱を加えるようにし、鍼体の温熱伝導によって末梢神経への血流を促進できるようにすることで酸素供給が身体全身にめぐらせる効果が期待でき、人間の身体は体温が高いほど代謝は活発になり、細胞の温度は４２℃を超えると体内の酵素系への障害が起こるとされ、一方では生命が持ちこたえられる体温は２０℃が分岐点温度であることは医学的に周知されていることに配慮したことを特徴とする請求項１、２、３、４、５、６、７、８に記載のらせん回転形状の鍼灸施術用の鍼体および利用方法。
【請求項１０】
らせん回転形状の鍼体は、鍼灸施術用の鍼体にとどまらず、針体の長さ及び針体の芯線の丸棒太さに関係なく応用され外科手術の縫合針、又は各種の針としては、縫い針、裁縫の待ち針、レース針、ミシン針、畳針、畳み縫いに応用できるようにして、各種の針の芯線の丸棒の針先方向に向かって左回りのらせん回転形状の針とすることを特徴とする請求項１、３、５、６、７、８、９に記載の左回りのらせん回転形状の針体。
【発明の詳細な説明】
【技術分野】
【０００１】  本発明の鍼灸施術用の鍼は、人間、又は動物の体内に差し込む場合、注射針のように中を空洞にしないので、注射針と鍼灸施術用の鍼の太さの外径を比較して、鍼灸施術用の鍼が細いからといっても、鍼を刺されることでの痛みに対して敏感な人にとっては、鍼の太さではなく、皮膚に差し込まれる際の鍼体の先端及び鍼体の芯となる丸棒が皮膚に接する面が多いことで皮膚への摩擦負荷を軽減するためのらせん回転形状の鍼灸施術用の鍼体および利用方法に関する。【０００２】  本発明の鍼灸施術用の鍼は、人間、又は動物の体内に差し込む場合、鍼を刺されることでの痛みに対する敏感な人間、又は動物にとっては太さではなく、皮膚に差し込まれる際の鍼が皮膚に接する面が多いことで皮膚への痛み、摩擦負荷を軽減するために、皮膚に差し込む側からは外形が左り回りのらせん回転形状であり、差し込まれる皮膚側からは右回りのらせん回転で皮膚に差し込まれることで皮膚に接する面が減ることと、らせん回転で差し込まれることで痛みの負荷は軽減されるようにして、さらに鍼体に温熱を加えるようにしたらせん回転形状の鍼灸施術用の鍼体および利用方法としたのである。【０００３】  本発明での鍼灸施術用の鍼は、単に、鍼を刺されることでの痛みに対する敏感な人間、又は動物にとっては太さではなく、皮膚に差し込まれる際の鍼が皮膚に接する面が多いことで皮膚への痛み負荷から人間および動物も怯えることでの視神経の委縮につながり酸化ストレスを増長させる恐れがあり、摩擦負荷を軽減することはもちろんのこと、鍼灸施術において右回りのらせん回転で皮膚に差し込むことで、痛みが軽くなり、心地よい痛みは施術患部への改善効果を高めることが期待できるのである。
【背景技術】
【０００４】  従来の鍼灸施術用の鍼は、人間、又は動物の体内に差し込む場合、注射針のように中を空洞にしないので、鍼灸施術用の鍼の外径は施術用針２番で０．１８ミリ、施術用鍼０番で０．１４に対し、輸血用針（１８Ｇ）で１．２０ミリ、採血用針（２２Ｇ）で０．７０ミリ、皮下注射用（２５Ｇ）で０．５０ミリとなっているのが一般的である。注射針と鍼灸施術用の鍼の太さの外径を比較して、鍼灸施術用の鍼が細いからといっても、鍼を刺されることでの痛みに対する敏感な人にとっては太さではなく、皮膚に差し込まれる際の皮膚に接する鍼体の表面積が面が多いことで皮膚への摩擦負荷が大きく痛みが伴うのである。
【先行技術文献】
【特許文献】
【０００５】  従来には、鍼灸においても、注射針と同様に皮膚に差し込まれる鍼先の外径が、より細い鍼によって痛みを軽減させることに製品開発が特化され、使用する施術者、施術を受ける側にとっての安全性を追求されてきたのである。例えば（特許文献１参照）針先の先端に鍼先部が形成された鍼体と、この鍼体の後端側を覆うように取り付けられる円筒状の金属製の鍼柄とを備える鍼灸鍼を提供したものである。また、（特許文献２）鍼治療の際に、その鍼体を皮膚に刺入することで、薬剤が体内に経皮的投与されるように構成された鍼灸鍼を提供している。つづいて、（特許文献３）鍼灸鍼の断面が円形であり、鍼先部を含む表面に、幅、深さ共に１μｍ未満の断面方形の凹溝を、鍼の軸線と略平行に、且つ円周方向に隔てて、多数設けたことを特徴とする鍼灸鍼を提供している。【０００６】  これら特許文献には、鍼灸施術用の鍼は、単に、針を刺されることでの痛みに対する敏感な人間、又は動物にとっては太さではなく、皮膚に差し込まれる際の皮膚に接する鍼体の表面積が多いことで皮膚への摩擦負荷が大きく痛みが伴うのである。そこで、らせん回転形状の鍼体の芯棒とすることで、皮膚に差し込まれる際の鍼体が皮膚に接する表面積が少なくなり皮膚への痛み、摩擦負荷を軽減するためだけではなく、鍼灸施術において右回りのらせん回転で皮膚に差し込むことで、痛みが軽くなり心地よい痛み負荷となることで、施術患部への改善効果を高めることが期待できる。これらの意識は盛りこめられていないことから、本発明とは技術的意義を全く異にする。
【特許文献１】特許第３８６０１６６号
【特許文献２】特許第４３５００６０号
【特許文献３】特許第３７２２３６３号
【発明の概要】
【発明が解決しようする課題】
【０００７】  従来の鍼灸施術用の鍼体は、人間、又は動物の体内に差し込む場合、注射針のように中を空洞にしないので、鍼灸施術用の鍼体の外径は施術用針２番で０．１８ミリ、施術用鍼０番で０．１４に対し、輸血用針（１８Ｇ）で１．２０ミリ、採血用針（２２Ｇ）で０．７０ミリ、皮下注射用（２５Ｇ）で０．５０ミリとなっているのが一般的である。注射針と鍼灸施術用の鍼の太さの外径を比較して、鍼灸施術用の鍼体が細いからといっても、鍼体を刺されることでの痛みに対する敏感な人にとっては太さではなく、皮膚に差し込まれる際の皮膚に接する鍼体の芯棒の表面積が多いことで皮膚への摩擦負荷が大きくなり痛みが伴うのである。
【０００８】  そこで、従来の鍼灸鍼においても、注射針と比べ細いので痛みが少ないとされているが、鍼体を刺されることでの痛みに対する敏感な人間、又は動物にとっては太さではなく、皮膚に差し込まれる際の鍼の表面が直線的で皮膚に接する面が多いことで皮膚への微細な摩擦による痛みが増幅するのを防ぐ、鍼体の外壁にらせん回転の溝、若しくは山なみの左回りのらせん回転を設けることにより、鍼灸施術において右回りのらせん回転で皮膚に差し込む際に、皮膚と鍼体との間の摩擦面の表面積が少なくなることで、痛みが軽くなり、心地よい痛み負荷となることで、施術患部への改善効果を高めることが期待できるようにしたのである。
【課題を解決するための手段】
【０００９】  本発明の鍼灸施術用の鍼は、皮膚に差し込む方向に向かって左回りのらせん回転形状とすることで、皮膚に差し込まれる際の鍼が皮膚に接する面が少ないことで皮膚への痛み、摩擦負荷を軽減するために、皮膚に差し込む側からは鍼の外壁の外形が左り回りの溝、若しくは山なみの左回りのらせん回転を設けるらせん回転形状であり、差し込まれる皮膚側からは右回りのらせん回転で皮膚に差し込まれることで皮膚に接する面が減ることと、自然摂理における右回りの穏やかな還元作用をもたらす現象に着眼し、よって、らせん回転で差し込まれることにより、痛みの負荷は軽減される鍼灸施術用の鍼体としたのである。
【００１０】  すなわち、自然摂理において右回りの高気圧では慢性疾患患者は、関節痛や体調不良を訴える人は少なく、逆に左回りの低気圧接近の時は、関節痛や体調不良を訴える慢性疾患者の症状を訴える人が増えるのである。横浜・岡沢クリニック院長岡澤美江子医師の協力のもと、厚生省より医療機器として認証されているヒト唾液酸化還元電位（ＯＲＰ）測定装置を用いての唾液臨床によって低気圧接近時の唾液ＯＲＰは強い酸化数値を示し、高気圧接近時の唾液ＯＲＰは、還元方向の体調度良好とする数値を示したことから、生体に負荷を与えないらせん回転形状の鍼灸施術用の鍼に着眼したのである。
【００１１】  本発明の鍼灸施術用の鍼体の発明でさらに着眼したのは、従来の直線的な注射針で受けている状況において人工透析を定期的に受けている患者、又は治療行為における注射を受けた場合での痛み負荷に対する感覚を、多くの患者が同意見で言われるていることに注視したのである。それは、利き手が左利きの看護士による注射を受けた場合では皮膚面に最初に針先をほんのわずか左回りの刺しこむ状態となり、このことにより、利き手が右利きの人からの注射を受けた場合より痛みの負荷が小さいという意見を重要視したのである。
【００１２】  本発明の鍼灸施術用の鍼体は、従来の直線的な鍼体の形状ではなく、注射針と異なり、鍼体を直接、皮膚に差し込む鍼体の外側が山並み設けた左回りのらせん回転形状の成型は、圧縮成型、又は鍼体の直線の芯線を左回りのらせん回転、又は右回りのらせん回転を施しながらの芯線製造とし、鍼体先の先端部の突起をらせん回転の山並みに添って曲線加工するものとする。しかし、この加工に限定するものではない。
【００１３】  本発明の鍼灸施術用の鍼に使用している金属の素材は、金を含んだ鍼体、銀を含んだ素材の鍼体、銅を含んだ素材の鍼体、鉄にクロムやニッケルなど混合素材のステンレス鍼体、アルミ製素材の鍼体など強度、安全性が保たれる素材であれば、これらの金属素材に限定しない、ただし、使用済み鍼体の再利用の人体への感染の危険を防ぐために使い捨て（ディスポーザブル）鍼とする特徴の他に、ストッパー部に半回転するツメの突起を設け使用済みの鍼体を鍼管に収納し、鍼体の動きを抑えるストッパーがかけられるようにし、鍼体を収納する鍼管は、ステンレス、又は硬質プラスチチックの使い捨て（ディスポーザブル）鍼管で円筒形、六角形、八角形、穴あきで（形状は限定せず）鍼管としているのである。
【００１４】  さらに、従来の鍼灸施術用の鍼体にない、鍼体の外形状をらせん回転形状にしたことで、皮膚に差し込まれる際の鍼が皮膚に接する面が少ないことで皮膚への痛み、摩擦負荷を軽減することで、鍼灸施術において右回りのらせん回転で皮膚に差し込むことで、痛みが軽くなり、心地よい痛み負荷となることで、施術患部への改善効果を高めることが期待できるようにしたのである。
【００１５】  上記目的を達成するために、本発明は（［請求項１］の構成要件）とで生体に負荷を与えないらせん回転形状の鍼灸施術用の鍼体を構成している。
【発明の効果】
【００１６】  以上の説明から明らかなように、本発明にあっては次に列挙する効果が得られる。
（１）（［請求項１］の構成要件）とで構成されているので、従来の鍼灸施術用の鍼にない、鍼体の丸芯棒の外形状をらせん回転形状にしたことで、皮膚に差し込まれる際の針体が皮膚に接する表面積が小さくなることで皮膚への痛み、摩擦負荷を軽減するためだけではなく、鍼灸施術において左回りのらせん回転で皮膚に差し込むことで、鍼体先を挿入される皮膚面側からは右回りに挿入されたことになることで痛みが軽くなり、心地よい痛み負荷となり、施術患部への改善効果を高めることが期待できるようにしたのである。
【００１７】（２）前記１によって、自然摂理において右回りの高気圧では慢性疾患患者は、関節痛や体調不良を訴える人は少なく、逆に左回りの低気圧接近の時は、関節痛や体調不良を訴える慢性疾患者が増える症状を、横浜・岡沢クリニック院長岡澤美江子医師の協力のもと、ヒト唾液ＯＲＰ唾液臨床によって低気圧接近時の唾液ＯＲＰは強い酸化数値を示し、関節痛や体調不良を訴えるひとが増え、高気圧接近時の唾液ＯＲＰは還元方向の数値を示したことから生体に負荷を与えないらせん回転形状に着眼した鍼灸施術用の鍼体および利用方法である。
【００１８】  本発明の鍼体を施術者は患者に使用する際に、鍼体の金属そのものの常温度で使用するだけでなく、お湯熱、又は温風熱、電気伝導熱を鍼体に３５℃乃至る４０℃の範囲内で、人間の身体に過剰な体力消耗の負荷を与えないように配慮した温熱を加えるようにし、鍼体の温熱伝導によって末梢神経への血流を促進できるようにすることで酸素供給が身体全身にめぐらせる効果が期待でき、人間の身体は体温が高いほど代謝は活発になり、細胞の温度は４２℃を超えると体内の酵素系への障害が起こるとされ、一方では生命が持ちこたえられる体温は２０℃が分岐点温度であることは医学的に周知されていることに配慮したらせん回転形状の鍼灸施術用の鍼体および利用方法としたのである。
【００１９】  さらには、本発明者は前記、横浜・岡沢クリニック院長岡澤美江子医師との共同研究のもとで１９年間にわたりヒト唾液ＯＲＰ測定での臨床データでは、平熱とされている３６．３℃以下、若しくは３８．０Ｃ以上の患者および健康な付き添い家族において、体内は医療機器として認められているヒト唾液ＯＲＰ測定装置での体調良好とされる４０〜５０ｍＶ数値を境界として、５０ｍＶを超える体内が酸化傾向にある体調不良の数値を示すのである（図表せず）。この体温との数値データは、すでに、日本の医学専門誌である医学書院２００９年７月号「臨床検査」の中で、唾液臨床総計３，６３１名のＯＲＰ測定の臨床結果として論文発表で周知されている。
【００２０】  そして、本発明の鍼体に銅を含んだ素材の鍼体を用いることも可能とした理由は、特に日本人は食生活習慣から微量栄養元素であり、体調維持にも効果が期待できるとされているとともに、殺菌力、抗菌性、さらには金属コーティングによる導電性が高められ、鍼体に温熱を加えて使用する際にも効果をたかめることが期待できるのであり、食生活において、レバー、ココア、海草などには銅が多く含まれていることから、古来から黒髪を維持するには海草を摂取することが伝承されてきた理由であり、医学的に銅はさまざまな酵素タンパク質の合成に必要なので欠乏すると中枢神経異常、脳障害、骨や心臓血管系に異常を引き起こすとされていることにも着眼したのである。銅素材の鍼体使用によって、本発明のらせん回転形状の鍼灸施術用の鍼体および利用方法の活用が期待できると考える。
【００２１】（３）請求項２至る請求項１０も前記（１）〜（２）と同様な本発明の皮膚に差し込む側からは鍼体の外壁の外形が左り回りの溝、若しくは山なみの左回りのらせん回転を設けるらせん回転形状であり、差し込まれる皮膚側からは右回りのらせん回転で皮膚に差し込まれることで皮膚に接する面が少ないことと、前記、自然摂理における左回りの体内負荷をもたらす低気圧、右回りの穏やかな還元作用をもたらす高気圧現象を重要と考えたのである。よって、痛みの負荷は軽減されるらせん回転で差し込まれ鍼灸施術用の鍼体としたのである。
【図面の簡単な説明】
【００２２】
【図１】本発明の鍼灸鍼の真上からのらせん回転の展開図。
【図２】本発明の鍼灸鍼の使用前の正面図。（ａ）は上面図。（ｂ）は外観正面図。
【図３】本発明の鍼灸鍼を皮膚に刺し込んだ状態の正面図。
【図４】本発明の鍼灸鍼を鍼管に収納後の正面図。
【図５】本発明の鍼灸鍼を鍼管に収納前のストッパー機能が鍼体１から外れている状態の突起部のツメ拡大図。
【図６】本発明の鍼灸鍼を鍼管に収納後のストッパーの突起のツメを上にすることで鍼体１にストッパーがかかる状態の拡大図。
【図７】本発明の鍼灸鍼体が左回りのらせん回転形状となるイメージ図。
【図８】本発明の鍼灸鍼の先端部拡大図。
【図９】本発明の鍼灸鍼を鍼管に収納前のストッパー押しボタン機能が鍼体１から外れている状態のツ拡大図。
【図１０】本発明の鍼灸鍼を鍼管に収納前のストッパー押しボタン機能で鍼体１を抑えている状態の拡大図。
【図１１】本発明の鍼灸施術用の鍼体にとどまらず、針体の長さ及び針体の芯線の丸棒太さに関係なく応用される各種の針の一例としての縫い針図。
【本発明を実施するための形態】
【００２３】  以下、本発明の螺旋回転で差し込まれることで痛みの負荷は軽減される鍼灸施術用の鍼体および利用方法を実施するための最良の形態について説明する。
【００２４】  図においては、図１は本発明の鍼灸鍼の真上からのらせん回転の展開図。図２は本発明の鍼灸鍼の使用前の正面図で（ａ）は上面図。（ｂ）は外観正面図。図３は本発明の鍼灸鍼を皮膚に刺し込んだ状態の正面図。図４は本発明の鍼灸鍼を鍼管に収納後であり、１４は鍼管先端円筒内に色加工された低反発ウレタン、又はゴムおよびプラスチック素材のキャップを詰込み使用済み鍼体としたことを示す正面図。図５は本発明の鍼灸鍼を鍼管に収納前のストッパー機能が鍼体１から外れている状態の突起部のツメ拡大図。図６は本発明の鍼灸鍼を鍼管に収納後のストッパーの突起のツメを上にすることで鍼体１にストッパーがかかる状態の拡大図。図７は本発明の鍼灸鍼体が左回りのらせん回転形状となるイメージ図で、図８は本発明の鍼灸鍼の先端部拡大図であり、図９は本発明の鍼灸鍼を鍼管に収納前のストッパー押しボタン機能が鍼体１から外れている状態のツ拡大図。図１０は本発明の鍼灸鍼を鍼管に収納前のストッパー押しボタン機能で鍼体１を抑えている状態の拡大図であり、図１１は、鍼灸施術用の鍼体にとどまらず、外科手術の縫合針、又は各種の針としては、針という各種の針としては、縫い針、裁縫の待ち針、レース針、ミシン針、畳針、畳み縫いに応用できることを示すために一例として縫い針の図であり、１１は縫い針の頭部分で、１２は縫い針の糸通しの穴部分であり、１３は縫い針の針体の芯線の丸棒に、針体の先方向に向かって左回りのらせん回転形状の縫い針の図で、前記、各種の針体に応用するなど、それぞれを構成している。
【実施例】
【００２５】  以下、本発明の１は本発明の特徴である左り回りにらせん回転形状がされている鍼体であり、刺し込まれた側からは右回りの皮膚への挿入となる。２は鍼柄である。３は鍼管であり、４は鍼体の保持部で微量の酒精綿を含ませ鍼体の消毒も兼ねた発砲プラスチック、又は低反発スポンジで詰め物とし、鍼の中心が動かないように固定させるためであり、５は人体皮膚面に鍼体刺差し込み調整のストッパーを設け、５のストッパーには、本発明の鍼体は使い捨てであり、使用済み後における再度使用という誤使用を防ぐために使い捨て（ディスポーザブル）鍼とする特徴の他に、ストッパー部に判回転するツメの突起を設け、使用済みの鍼体を鍼管に収納し、鍼体の動きを抑えるストッパーがかけられるようにしたのである。使用後の鍼先収納を３の鍼管に収納させるために、５のストッパー部に５−ａ突起状のツメを設け、２の鍼柄を押し上げ鍼先を３の鍼管に収納させた後、５のストッパー部の５のａ突起状のツメを下から上に指先、又はツメ先で押し上げることで、１の鍼体に５−ｂの状態でストッパーがかかり、３の鍼管内に収納された鍼体１が動かないように固定されると同時に使用済みの鍼体であることを目視できるようにしている。それによって、突起のツメが上に上がっている状態は使用済み針を目視できるだけでなく、使用済み後における再度使用という誤使用を防ぐ役目と同時に、３の鍼管に収納できるので使用後の使い捨て鍼体を処理する際、人体へ鍼体を刺してしまう危険を回避できるようにしている。【００２６】  さらに、図５で示した通り、本発明の鍼灸鍼を鍼管に収納前のストッパー突起のツメ拡大図ではストッパーがかかっていない状態の拡大図であり、図６では鍼体１にストッパーがかかっている拡大図で、使用済み後における再度使用という誤使用を防ぐようにしている。６は人体皮膚面及び肉片内部であり、７は３の鍼管が皮膚と接する面での安定をはかるため台座。８は、鍼体の先端部であり、９は鍼体を刺し込む際の微細な指先感触を和らげる２の鍼柄の頭を緩やかなアール形状にしている。これは、鍼管を用いずとも鍼柄を二指（親指と人差し指）でつまんで使用する場合、又は三指（親指と中指で鍼柄をつまみ、人差し指）で鍼柄のアール形状、又は球体など形状を限定せず鍼体の頭を微細な感触操作ができるようにようにしている。図７で示す通り、鍼体１は左回りのらせん回転形状で（利き手が左右の違いでの体内負荷が異なる人を勘案し、左回りのらせん回転形状に限定せず、右回りのらせん回転形状を含む）、さらには、鍼管を用いずとも鍼柄を二指（親指と人差し指）でつまんで使用する場合、又は三指（親指と中指、又は親指と薬指で鍼柄をつまみ人差し指）で使用できるようにし、鍼柄のアール形状、又は球体など形状を限定せず鍼体の頭を微細な感触操作ができるようにするなど任意の取扱いができるようにし、鍼体の１の長さおよび太さは限定されない。１０はらせん回転が鍼体先端部と皮膚と接する際に起こる微細な痛み負荷を与えないよう曲線形状で円錐形の先端の尖った部分とで構成している。さらに、図９および図１０でも、５−ｃの状態の押しボタン形状での使用済み鍼体を鍼管に収納後、５−ｂのようにストッパーをかけられるように��て、図５、図６の拡大図と同様に使用済み鍼体の再度利用という間違いを防ぐようにしている。このストッパー機能は、いずれかに限定せず、どちらの形状も可能にするように構成している。図１１においては、鍼灸施術用の鍼体にとどまらず、本発明の針の長さ及び針体の芯線の丸棒の太さに関係なく応用され、左回りの外科手術の縫合針、又は各種の針としては、縫い針、裁縫の待ち針、レース針、ミシン針、畳針、畳み縫いに応用できることを示すために一例として縫い針の図であり、１１は縫い針の頭部分で、１２は縫い針の糸通しの穴部分であり、１３は縫い針の針体の芯線の丸棒に、針体の先方向に向かって左回りのらせん回転形状の縫い針の図で、８は一例図としての縫い針の針体先端部で、前記、各種の針体に応用するなど、それぞれを構成している。【００２７】  よって、右回りのらせん回転の鍼灸鍼は、段落［００１６］及び段落［００１７］で述べた自然摂理におけるらせん回転形状のもつ特異性に着眼し、痛み負荷と局所への体調改善効果をもたらすものと考える。鍼灸施術用の鍼体の芯線の丸棒の外側面形状の成型は圧縮成型、又は鍼体の直線芯線を左回りのらせん回転形状、又は右回りのらせん回転形状を施しながらの芯線製造とし、鍼体の芯線の丸棒加工はこれに限定されない。
【産業上の利用可能性】
【００２８】  従来では鍼灸施術用の鍼の鍼体そのものの芯形状は丸棒状に皮膚に刺し込む先端部を円錐での鋭角な突起形状としていたのである。鍼灸施術用の鍼が細いからといっても、鍼を刺されることでの痛みに対して敏感な人にとっては、鍼の太さではなく、皮膚に差し込まれる際の鍼が丸棒状では皮膚に接する面が多いことで摩擦負荷が大きく痛み負荷となるのである。そこで、鍼体の外形状を螺旋回転形状にしたことで、皮膚に差し込まれる際の針が皮膚に接する面が少なくなることで皮膚への痛み、摩擦負荷を軽減するためだけではなく、鍼灸施術において左回りのらせん回転で皮膚に差し込むことで、鍼先を挿入される皮膚面側からは右回りに挿入されたことになることで痛みが軽くなり、心地よい痛み負荷となることで、施術患部への改善効果を高めることが期待できるようにしたのである。【００２９】  近年、鍼灸施術が副作用のない安全な鍼治療は、ＷＨＯ（世界保健機関）にも認められ、安全性と即効性が注目されている中、本発明の自然摂理の現象に着眼したらせん回転形状の鍼が痛み負荷の軽減と使用済み後における再度使用という誤使用を防ぐ役目と同時に、３の鍼管に収納できるので使用後の使い捨て鍼を処理する際、人体へ鍼を刺してしまう危険を回避できるようにしたことで、鍼灸施術用の鍼にとどまらず、美容鍼への応用ができ、あらゆる針に、本発明のらせん回転形状の鍼灸施術用の鍼および利用方法は、活用範囲は広く産業上での発展に大いに寄与するものと考える。
【符号の説明】
【００３０】  １  本発明の左回りのらせん回転形状の鍼体（鉢体の長さおよび太さは限定しない）。
２  鍼柄。
３  鍼管。
４  鍼体の保持部。
５  人体皮膚面に鍼体刺差し込み調整のストッパー。
５−ａ  ストッパー部の５に突起状のツメ。
５−ｂ  鍼体１に５−ｂの状態でストッパーをかけた状態。
５−ｃ  鍼体１に５−ｃの状態で押しボタンを矢印方向に押し込んでストッパーをかけ          られるようにしている。
６  人体皮膚面及び肉片内部。
７  鍼管３が皮膚と接する面での安定をはかる。
８  鍼体の先端部。
９  鍼体を刺し込む際の微細な指先感触を和らげる２の鍼柄の頭を緩やかなアール形状      。
１０  らせん回転が鍼先端部と皮膚と接する際に起こる微細な痛み負荷を与えないよう曲      線形状で円錐形の先端の尖った部分とで構成している。
１１  縫い針の頭部分。
１２  縫い針の糸通しの穴部分。
１３  縫い針の針体の芯線の丸棒に、針体の先方向に向かって左回りのらせん回転形状の      縫い針の図。
１４  鍼管先端円筒内に色加工された低反発ウレタン、又はゴムおよびプラスチック素材      のキャップを詰込み使用済み鍼体を示す状態の図。
【図１】
2016144615.tif 000003
【図２】
2016144615.tif 000004
【図３】
2016144615.tif 000005
【図４】
2016144615.tif 000006
【図５】
2016144615.tif 000007
【図６】
2016144615.tif 000008
【図７】
2016144615.tif 000009
【図８】
2016144615.tif 000010
【図９】
2016144615.tif 000011
【図１０】
2016144615.tif 000012
【図１１】
2016144615.tif 000013
【手続補正書】
【提出日】平成28年1月7日(2016.1.7)
【手続補正１】
【補正対象書類名】明細書
【補正対象項目名】００１２
【補正方法】変更
【補正の内容】
【００１２】  本発明の鍼灸施術用の鍼体は、従来の直線的な鍼体の形状ではなく、注射針と異なり、鍼体を直接、皮膚に差し込む鍼体の外側が山並み設けた左回りのらせん回転形状の成型は、圧縮成型、又は鍼体の直線の芯線を左回りのらせん回転、又は右回りのらせん回転を施しながらの芯線製造とし、鍼体先の先端部の突起をらせん回転の山並みに添って曲線加工するものとする。しかし、この加工に限定するものではない。左回りのらせん回転形状の山並みが目視で確認できない鏡面研磨を施す加工も含まれるようにしているのである。（図せず）。
【手続補正２】
【補正対象書類名】特許請求の範囲
【補正対象項目名】請求項１
【補正方法】変更
【補正の内容】
【請求項１】
少なくとも鍼灸施術用の鍼体の芯線の丸棒の外側面形状は、皮膚に差し込む方向に向かって左回りのらせん回転形状であり、鍼体の先端部から鍼柄まで、若しくは鍼体の先端部から鍼柄手前まで任意の長さで左回りのらせん回転形状とし、鍼体の皮膚に差し込まれる際の針が皮膚に接する面をすくなくして皮膚への痛み、摩擦負荷を軽減するために、皮膚に差し込む側からは鍼体の外壁の外形が左り回りの溝、若しくは山なみの左回りのらせん回転を設ける加工と、左回りのらせん回転形状の山並みが目視で確認できない鏡面研磨を施す加工も含まれるようにして鍼体に温熱を加えるようにしたらせん回転形状とすることを特徴とするらせん回転形状の鍼灸施術用の鍼体および利用方法。